(57)【要約】【課題】  ＤＶ入力にてＤＶ撮影コンテンツをＤＶＲ上に取り込んだ場合、ＤＶＲ上に新たに作成された取り込みコンテンツの録画時刻は、ＤＶＲ取り込み時刻になる。【解決手段】  ＤＶ入力にてＤＶ撮影コンテンツをＤＶＲ上に取り込んだ場合、ＤＶ撮影映像に付随するＤＶ時刻情報をＤＶＲ上のＡＶコンテンツ管理情報形式に変換して設定することにより、ＤＶ撮影コンテンツはＤＶＲ上でも、ＤＶＲ取り込み時刻ではなく、ＤＶ時刻情報で管理することができる。【選択図】  図１０
2006179049.tif 000002
【特許請求の範囲】
【請求項１】
撮影機器で撮影した１以上のＡＶ情報と各ＡＶ情報を撮影した時の時刻情報から構成される撮影コンテンツを取込むことが可能な録画再生装置において、
前記取り込んだ撮影コンテンツからＡＶ情報を抽出するＡＶ情報抽出手段と、
前記取り込んだ撮影コンテンツに含まれるＡＶ情報に対応する時刻情報を抽出する時刻情報抽出手段と、
前記時刻情報を録画再生装置で管理するＡＶ情報の管理日付の形式に変換する時刻情報変換手段と、
前記ＡＶ情報を管理する管理日付に前記変換した時刻情報を設定し、前記ＡＶ情報と管理日付を取り込みコンテンツとして記録する取り込みコンテンツ記録手段と
を備えたことを特徴とする録画再生装置。
【請求項２】
前記録画再生装置は更に、
前記ＡＶ情報の先頭から編集位置までの相対時間を前記時刻情報に加算して、前記編集位置の絶対時刻を算出する絶対時刻算出手段と、
前記ＡＶ情報の先頭から一定区間を削除編集時、前記削除編集したＡＶ情報を管理する管理日付に削除区間後のＡＶ情報の先頭時刻を設定する管理日付設定手段を
備えたことを特徴とする請求項１記載の録画再生装置。
【請求項３】
前記録画再生装置は更に、
前記ＡＶ情報の先頭から編集位置までの相対時間を前記時刻情報に加算して、前記編集位置の絶対時刻を算出する絶対時刻算出手段と、
前記ＡＶ情報を分割編集時、前記分割したＡＶ情報の後半部分を管理する管理日付に前記絶対時刻を設定する管理日付設定手段を
備えたことを特徴とする請求項１記載の録画再生装置。
【請求項４】
前記録画再生装置は更に、前記ＡＶ情報をプレイリスト編集する場合において、
前記ＡＶ情報の先頭から編集位置までの相対時間を前記時刻情報に加算して、前記編集位置の絶対時刻を算出する絶対時刻算出手段と、
編集後のＡＶ情報をプレイリストで管理する管理日付に前記絶対時刻を設定する管理日付設定手段を
備えたことを特徴とする請求項１記載の録画再生装置。
【請求項５】
撮影機器で撮影した１以上のＡＶ情報と各ＡＶ情報を撮影した時の時刻情報から構成される撮影コンテンツを録画再生装置に取り込んで管理する撮影コンテンツ管理方法において、
前記取り込んだ撮影コンテンツからＡＶ情報を抽出するＡＶ情報抽出ステップと、
前記取り込んだ撮影コンテンツに含まれるＡＶ情報に対応する時刻情報を抽出する時刻情報抽出ステップと、
前記時刻情報を録画再生装置で管理するＡＶ情報の管理日付の形式に変換する時刻情報変換ステップと、
前記ＡＶ情報を管理する管理日付に前記変換した時刻情報を設定し、前記ＡＶ情報と管理日付を取り込みコンテンツとして記録する取り込みコンテンツ記録ステップと
を備えたことを特徴とする撮影コンテンツ管理方法。
【請求項６】
撮影機器で撮影した１以上のＡＶ情報と各ＡＶ情報を撮影した時の時刻情報から構成される撮影コンテンツを取込むことが可能な録画再生装置において実行される撮影コンテンツ管理プログラムにおいて、
前記取り込んだ撮影コンテンツからＡＶ情報を抽出するＡＶ情報抽出ステップと、
前記取り込んだ撮影コンテンツに含まれるＡＶ情報に対応する時刻情報を抽出する時刻情報抽出ステップと、
前記時刻情報を録画再生装置で管理するＡＶ情報の管理日付の形式に変換する時刻情報変換ステップと、
前記ＡＶ情報を管理する管理日付に前記変換した時刻情報を設定し、前記ＡＶ情報と管理日付を取り込みコンテンツとして記録する取り込みコンテンツ記録ステップと
を備えたことを特徴とする撮影コンテンツ管理プログラム。
【請求項７】
撮影機器で撮影した１以上のＡＶ情報と各ＡＶ情報を撮影した時の時刻情報から構成される撮影コンテンツを取込むことが可能な録画再生装置に用いられる録画再生装置用集積回路において、
前記取り込んだ撮影コンテンツからＡＶ情報を抽出するＡＶ情報抽出手段と、
前記取り込んだ撮影コンテンツに含まれるＡＶ情報に対応する時刻情報を抽出する時刻情報抽出手段と、
前記時刻情報を録画再生装置で管理するＡＶ情報の管理日付の形式に変換する時刻情報変換手段と、
前記ＡＶ情報を管理する管理日付に前記変換した時刻情報を設定し、前記ＡＶ情報と管理日付を取り込みコンテンツとして記録する取り込みコンテンツ記録手段と
を備えたことを特徴とする録画再生装置用集積回路。
【発明の詳細な説明】
【技術分野】
【０００１】
本発明はＡＶ情報とその時刻情報を記録する撮影装置と接続可能な録画再生装置に関し、録画再生装置内での撮影コンテンツ管理方法に関する。
【背景技術】
【０００２】
デジタルビデオレコーダ（以後「ＤＶＲ」と呼ぶ）として、デジタル多用途ディスクレコーダ及びハードディスクドライブレコーダが、家庭用ＶＴＲの後継機として普及しつつある。ここで述べるＤＶＲとは、ランダムアクセス可能な記録方式を使用している。同様に家庭用８ｍｍビデオカメラの後継機として、デジタルビデオ（以後「ＤＶ」と呼ぶ）カメラも普及しつつある。
ＤＶカメラの利用形態としては、ＤＶ映像とその時刻情報をＤＶテープに記録するだけではなく、ＩＥＥＥ１３９４端子を使用しＤＶＲと接続を行い、ＤＶ映像をＤＶＲ上にも記録する使用方法（以後「ＤＶ入力」と呼ぶ）が一般的となってきている。ＤＶテープの場合、ＤＶＲと同様に劣化のない高画質な映像を記録することは可能だが、記録方式としては順次アクセスを使用している。一方、ＤＶＲではランダムアクセスを使用しているためコンテンツをライブラリのように管理することができる。
【０００３】
またＤＶＲでは、コンテンツの時刻情報を管理すると共に、コンテンツのタイトル名や録画時刻をキーとする並べ替え表示も可能である。ここで、ＤＶ入力にてＤＶカメラで撮影したＤＶ映像をＤＶＲに取り込んで取り込みコンテンツとして記録する場合の録画時刻は、ＤＶＲに取り込んだ時刻すなわちＤＶＲ上でのコンテンツ作成時刻となる。これは、ＤＶＲ側でのコンテンツ情報管理においてコンテンツの録画時刻の定義を、ＤＶＲ上でコンテンツが作成された時刻としているためである。
ＤＶＲにおけるコンテンツ録画時刻の定義ではユーザにとって不便である。ＤＶカメラを使用するユーザにとってＤＶ撮影時のＤＶ時刻情報は意味がある。例えば、成長記録として誕生日にＤＶ撮影を行うような場合である。ＤＶ入力にてＤＶ撮影コンテンツをＤＶＲに取り込みＤＶＲ上に取り込みコンテンツを作成した時点で、ＤＶ時刻情報は取り込みコンテンツ作成時刻で上書きされてしまう。
成長記録として毎年誕生日にＤＶ撮影を行いそのＤＶ撮影コンテンツをＤＶＲに取り込んでいる場合、いつ撮影した映像なのかユーザには判別し難くなる。
図８に、録画再生装置による画面一覧表示を示す。図８のＤＶカメラに記録されているＤＶ撮影コンテンツは、１９８０年から３年間同じ日時にＤＶ撮影を行っている。そして、ＤＶ入力にてＤＶＲに取込むと、全ての取り込みコンテンツの録画時刻は録画再生装置取り込み時刻である２００４年７月５日１９時２０分となる。
【０００４】
このニーズに応えるため、市場商品の一部には、図９に示すようにＤＶ入力にてＤＶ撮影コンテンツをＤＶＲ上に取り込んだ場合、コンテンツのタイトル名にＤＶ時刻情報を記録する商品もある。図９では、図８と同様に取り込みコンテンツの録画時刻は録画再生装置取り込み時刻である。しかし、タイトル名にはＤＶカメラで撮影を行った時のＤＶ時刻情報が記録されているため、ＤＶカメラでいつ撮影した映像なのかユーザは判別することは可能である。
また、取り込みコンテンツとその時刻情報をハードディスク上に記録するものがある（例えば、特許文献１参照）。
【特許文献１】特開２００４−８８１７０号公報  これによると、ＤＶ撮影コンテンツとその時刻情報をハードディスク上に記録しているが、その時刻情報はトリガ入力受付け時刻に限定されている。
【発明の開示】
【発明が解決しようとする課題】
【０００５】
市場商品の一部においては、ＤＶ入力にてＤＶ撮影コンテンツをＤＶＲ上に取り込んだ場合、取り込みコンテンツのタイトル名にＤＶ時刻情報を記録するため、ＤＶ時刻情報を目視により確認することはできる。しかし、ユーザにとって重要なＤＶ時刻情報は、コンテンツの時刻属性としてＤＶＲ上で管理することができない。その結果、市場商品ではユーザ側にＤＶ時刻情報の確認やタイトル並べ替えの操作性の面で制約を強いることになる。
例えば、タイトル名にのみＤＶ時刻情報を記録するため、操作ミスによりタイトル名にあるＤＶ時刻情報を消去した場合、ＤＶ時刻情報を確認することができなくなる。また、録画時刻をキーとしたＤＶ時刻情報順に並び替え表示を行うことができない。
図７に、ＤＶカメラで異なる日時に撮影した複数のＤＶ撮影コンテンツを、ＤＶ入力にてＤＶＲ上に一度に取り込んだ場合の画面一覧表示状態を示す。画面一覧には、ＤＶＲに記録しているコンテンツの識別番号と、コンテンツが作成された録画時刻、コンテンツの作成方法を示すＣＨ、コンテンツのタイトル名が含まれている。ＤＶＲの番号１にはすでに、地上波放送により記録したＡＶコンテンツが記録されている。番号２、３、４には、ＤＶ入力による取り込みコンテンツが記録されている。この状態では、取り込みコンテンツの録画時刻は、ＤＶ撮影を行った時刻とは関係なく、全てＤＶＲ上に取り込んだ時刻になる。
その結果、取り込みコンテンツがいつ撮影した映像なのか判別がし難くなる。ユーザの立場としては、やはり、ＤＶＲ上でもＤＶ時刻情報を確認及び管理できることが好ましい。
【０００６】
本発明は、従来の課題を解決するもので、ＤＶ入力にてＤＶ撮影コンテンツをＤＶＲ上に取り込んだ場合、ＤＶＲ上でもＤＶ映像のＤＶ時刻情報を管理する機能を提供することを目的とする。
【課題を解決するための手段】
【０００７】
前記従来の課題を解決するために、本発明の録画再生装置は、撮影機器で撮影した１以上のＡＶ情報と各ＡＶ情報を撮影した時の時刻情報から構成される撮影コンテンツを取込むことが可能な録画再生装置において、取り込んだ撮影コンテンツからＡＶ情報を抽出するＡＶ情報抽出手段と、取り込んだ撮影コンテンツに含まれるＡＶ情報に対応する時刻情報を抽出する時刻情報抽出手段と、時刻情報を録画再生装置で管理するＡＶ情報の管理日付の形式に変換する時刻情報変換手段と、ＡＶ情報を管理する管理日付に変換した時刻情報を設定し、ＡＶ情報と管理日付を取り込みコンテンツとして記録する取り込みコンテンツ記録手段とを備えたことを特徴とする。
【０００８】
また、本発明の録画再生装置は更に、ＡＶ情報の先頭から編集位置までの相対時間を時刻情報に加算して、編集位置の絶対時刻を算出する絶対時刻算出手段と、ＡＶ情報の先頭から一定区間を削除編集時、削除編集したＡＶ情報を管理する管理日付に削除区間後のＡＶ情報の先頭時刻を設定する管理日付設定手段を備えたことを特徴とする。
【０００９】
また、本発明の録画再生装置は更に、ＡＶ情報の先頭から編集位置までの相対時間を時刻情報に加算して、編集位置の絶対時刻を算出する絶対時刻算出手段と、ＡＶ情報を分割編集時、分割したＡＶ情報の後半部分を管理する管理日付に絶対時刻を設定する管理日付設定手段を備えたことを特徴とする。
【００１０】
また、本発明の録画再生装置は更に、ＡＶ情報をプレイリスト編集する場合において、  ＡＶ情報の先頭から編集位置までの相対時間を時刻情報に加算して、編集位置の絶対時刻を算出する絶対時刻算出手段と、編集後のＡＶ情報をプレイリストで管理する管理日付に絶対時刻を設定する管理日付設定手段を備えたことを特徴とする。
【００１１】
また、本発明の撮影コンテンツ管理方法は、撮影機器で撮影した１以上のＡＶ情報と各ＡＶ情報を撮影した時の時刻情報から構成される撮影コンテンツを録画再生装置に取り込んで管理する撮影コンテンツ管理方法において、取り込んだ撮影コンテンツからＡＶ情報を抽出するＡＶ情報抽出ステップと、取り込んだ撮影コンテンツに含まれるＡＶ情報に対応する時刻情報を抽出する時刻情報抽出ステップと、時刻情報を録画再生装置で管理するＡＶ情報の管理日付の形式に変換する時刻情報変換ステップと、ＡＶ情報を管理する管理日付に変換した時刻情報を設定し、ＡＶ情報と管理日付を取り込みコンテンツとして記録する取り込みコンテンツ記録ステップとを備えたことを特徴とする。
【００１２】
また、本発明の撮影コンテンツ管理プログラムは、撮影機器で撮影した１以上のＡＶ情報と各ＡＶ情報を撮影した時の時刻情報から構成される撮影コンテンツを取込むことが可能な録画再生装置において実行される撮影コンテンツ管理プログラムにおいて、取り込んだ撮影コンテンツからＡＶ情報を抽出するＡＶ情報抽出ステップと、取り込んだ撮影コンテンツに含まれるＡＶ情報に対応する時刻情報を抽出する時刻情報抽出ステップと、時刻情報を録画再生装置で管理するＡＶ情報の管理日付の形式に変換する時刻情報変換ステップと、ＡＶ情報を管理する管理日付に変換した時刻情報を設定し、ＡＶ情報と管理日付を取り込みコンテンツとして記録する取り込みコンテンツ記録ステップとを備えたことを特徴とする。
【００１３】
また、本発明の録画再生装置用集積回路は、撮影機器で撮影した１以上のＡＶ情報と各ＡＶ情報を撮影した時の時刻情報から構成される撮影コンテンツを取込むことが可能な録画再生装置に用いられる録画再生装置用集積回路において、取り込んだ撮影コンテンツからＡＶ情報を抽出するＡＶ情報抽出手段と、取り込んだ撮影コンテンツに含まれるＡＶ情報に対応する時刻情報を抽出する時刻情報抽出手段と、時刻情報を録画再生装置で管理するＡＶ情報の管理日付の形式に変換する時刻情報変換手段と、ＡＶ情報を管理する管理日付に変換した時刻情報を設定し、ＡＶ情報と管理日付を取り込みコンテンツとして記録する取り込みコンテンツ記録手段とを備えたことを特徴とする。
【発明の効果】
【００１４】
本発明によれば、ＤＶ入力にてＤＶ撮影コンテンツをＤＶＲ上に取り込んだ場合、ＤＶ映像の時刻情報をＤＶＲ上のＡＶコンテンツ管理情報として設定することにより、ＤＶＲ上でもＤＶ撮影を行った時の時刻情報を管理する事ができる。時刻情報としてＤＶ時刻情報を管理対象とした場合、ＤＶＲ上でもＤＶ撮影を行った時の時刻情報を管理し表示することができる。
また、本発明によれば、ＤＶＲ上の取り込みコンテンツを編集した場合であっても、編集後の取り込みコンテンツに対応した時刻情報を管理する事ができる。
また、取り込みコンテンツを分割した場合、それぞれの分割コンテンツに対応したＤＶ撮影を行った時の時刻情報を設定することができる。
【発明を実施するための最良の形態】
【００１５】
以下本発明の実施の形態について、図面を参照しながら説明する。
（実施の形態１）
実施の形態１はＤＶ入力時における録画再生装置内での撮影コンテンツ管理に関するものである。
【００１６】
（装置の構成）
図３は、本発明の実施の形態１の録画再生装置を模式的に示した図である。ＤＶカメラにはＤＶ映像とそれに対応するＤＶ時刻情報から成るＤＶ撮影コンテンツが記録されている。
ＤＶ入力を行った時、ＡＶ情報抽出手段２００にてＤＶ映像をＤＶカメラから取得する。取得したＡＶ情報は、ＡＶ情報変換手段２０１によりＤＶＲで管理することができる取り込みコンテンツ情報に変換する。
同様にＤＶ時刻情報も、時刻情報抽出手段２０３にてＤＶカメラから時刻情報を取得し、時刻情報変換手段２０４によりＤＶＲで管理することができるＡＶ情報の管理日付の形式に変換する。
そして、取り込みコンテンツ記録手段２０５にて、ＡＶ情報を管理する管理日付に変換した時刻情報を設定し、ＡＶ情報と管理日付を取り込みコンテンツとして記録する。
これにより、ＤＶカメラで撮影したＤＶ映像とそれに対応するＤＶ時刻情報は、ＤＶＲ上で管理することができる取り込みコンテンツ情報として記録することができる。
【００１７】
次に、上記手段を用いて、ＤＶＲのＡＶコンテンツ管理情報形式に変換したＤＶ映像の時刻情報を設定する録画再生装置の構成について説明する。
図１は、本発明の実施の形態で使用する録画再生装置の構成を示す。この録画再生装置には、アンテナ１０２及びモニター１０３が接続されている。この録画再生装置は、アンテナ１０２で受信された電波から得られた映像及び音声を記録媒体１３４に記録し、記録された映像をモニター１０３上で再生することができる。
録画再生装置のチューナー１１２は、アンテナ１０２で受信された電波から目的のチャンネルを選局し、そのチャンネルの映像及び音声をエンコーダ１１３に与える。エンコーダ１１３は、与えられた映像及び音声を所定の記録形式で符号化する。エンコーダ１１３により符号化されたデータは、記録媒体１３４に記録される。デコーダ１１６は、記録媒体１３４に記録されたデータを復号化し、出力制御部１１５は出力対象となるコンテンツ保護情報に応じたコピー制限情報の重畳制御を行い、復号化した映像のデータをオーバーレイ部１１４に出力する。
次に、ＯＳＤ表示部１１７は、録画再生装置の動作設定や状況を表す表示データを作成する。オーバーレイ部１１４は、デコーダ１１６からの映像のデータにＯＳＤ表示部１１７からの表示データを合成した所定の表示形式の映像を生成する。オーバーレイ部１１４により生成された映像が、モニター１０３上に表示される。
【００１８】
モニター１０３に表示された映像を見る指示やその他の録画再生装置に対する指示をユーザが行うのに、例えばリモコン１０１が用いられる。ユーザがリモコン１０１を用いて指示を入力すると、ユーザ入力部１１１が、リモコン１０１からの入力を受け付け、その内容をＣＰＵ１３１に伝える。ＣＰＵ１３１は、バス１２０を通じて行われるデータ転送や録画再生装置における各種の処理を制御する。ＲＯＭ１３２には、プログラムが記録されており、ＣＰＵ１３１は、ＲＡＭ１３３を用いながら、このプログラムに従って動作する。
ＲＯＭ１３２に記録されたプログラムには、本実施の形態によって提供される取り込みコンテンツ記録手段２０５を用いて、ＤＶＲ上で管理することができるＡＶコンテンツ管理情報形式に変換したＤＶ撮影映像の時刻情報を、ＡＶコンテンツ管理情報に設定するプログラムが含まれる。ＣＰＵ１３１やＲＯＭ１３２、ＲＡＭ１３３などによって構成される録画再生装置内のコンピュータと、この撮影コンテンツ管理プログラムが協働することによって、録画再生装置は、本実施の形態によって提供される録画再生装置として機能する。また、ＣＰＵ１３１やＲＯＭ１３２、ＲＡＭ１３３は集積回路１４０で構成することも可能である。
【００１９】
（装置の動作）
以上のように構成された録画再生装置の撮影コンテンツ管理方法について説明する。
図１０に、本発明の実施の形態に係るＤＶＲ上のコンテンツ一覧を表示する画面を示す。ここでは、ＤＶカメラにて撮影したＤＶ撮影コンテンツをＤＶＲ上に取り込もうと思い立ち、ＤＶ入力にてＤＶＲ上に取り込んだ状態の画面一覧表示を示す。ユーザはＤＶカメラに異なったＤＶ時刻情報を持つＤＶ映像を３本記録した時点で、ＤＶ撮影コンテンツをＤＶＲに取り込んだ。なお、番号２は地上波放送から記録したコンテンツ、番号１，３，４のコンテンツは外部から取り込んだ、取り込みコンテンツである。
図７に、従来例による撮影コンテンツ管理方法での画面一覧表示状態を示す。ＤＶカメラから取り込んだＤＶ撮影コンテンツは図１０と同様である。
図１０と図７を比較して明らかなように、従来例ではＤＶ時刻情報に関係なく、ＤＶＲ上の取り込みコンテンツの録画時刻には、ＤＶ撮影コンテンツが取り込まれた時刻を表示している。一方、本実施の形態では、図１０に示すようにＤＶ入力にてＤＶ撮影コンテンツをＤＶＲ上に取り込んだ場合、取り込みコンテンツの録画時刻には、ＤＶ時刻情報を表示している。
【００２０】
図１１（ａ）は従来例による図７に対応し、図１１（ｂ）は本実施の形態による図１０に対応する録画再生装置内でのＡＶコンテンツ管理情報の録画時刻とＤＶ撮影コンテンツのＤＶ時刻情報との関係を示す図である。上記図１０と図７の比較と同様に、取り込みコンテンツの録画時刻には、図１１（ａ）ではＤＶＲに内蔵しているタイマーから取り込みコンテンツを作成した時刻を設定する。図１１（ｂ）では、ＤＶ撮影コンテンツのＤＶ時刻情報を設定する。
すなわち、本実施の形態ではＤＶ入力によりＤＶ撮影コンテンツをＤＶＲ上に取り込んだ場合、ＤＶＲ上でもＤＶ撮影コンテンツのＤＶ時刻情報を管理する。
【００２１】
図２０（ａ）に図１１で用いたＡＶコンテンツ管理情報の概略構造を示す。
ＡＶコンテンツ管理情報は各記録媒体に退避される情報で、記録媒体の記録状態を管理する情報であり、少なくとも記録媒体の識別情報、記録媒体の空き容量、記録媒体に記録可能なＡＶコンテンツ数の最大値、記録媒体に記録可能な実体プレイリスト数の最大値、記録媒体に記録可能な実体ストリームファイル数の最大値、記録媒体に記録されているＡＶコンテンツ数、記録媒体に記録されているＡＶコンテンツの実体プレイリスト数、記録媒体に記録されているＡＶコンテンツの実体ストリームファイル数、記録媒体に記録されているＡＶコンテンツの実体プレイリスト数分の実体プレイリスト情報、を含んだ構成である。
なお、各最大値の値については、記録媒体の記録フォーマット識別子を別途退避しておき、予め記録フォーマットで規定される規格値を引用する方法でも良い。
【００２２】
図２０（ｂ）に、ＡＶコンテンツ管理情報内の実体プレイリスト情報の概略構造を示す。
実体プレイリスト情報は記録媒体に退避される情報で、エンドユーザの操作対象となるＡＶコンテンツを管理する情報であり、少なくとも実体プレイリスト情報単位の固有の識別子であるコンテンツ識別子と、再生区間数と、録画時刻と、コンテンツ作成方法情報と、再生区間毎の実体ストリームファイルの先頭位置と末尾位置情報を含んだ構成である。
ここで録画時刻には、一般的にはＤＶＲ上でコンテンツが生成された時刻が退避される。また、コンテンツ作成方法情報には、コンテンツのソース種別が退避される。
例えばアナログ地上波放送を録画したコンテンツや外部入力として取り込んだＤＶ撮影コンテンツ等が退避される。
コンテンツ識別子デフォルト値としてコンテンツの作成順にシーケンシャルな値を設定する。先頭位置は実体ＡＶストリームデータが記録されているＣｌｉｐファイル識別子と、該Ｃｌｉｐファイル内に記録されたＡＶストリームデータのＣｌｉｐファイル先頭からの相対位置を時分秒で管理する情報から構成される。末尾位置も開始位置と同様の構成を持つ。
実体ストリームファイルはＭＰＥＧ２トランスポートストリームの構造に準ずるものとする。ＡＶコンテンツデータは時間軸上に展開され、実体プレイリスト情報は実体ストリームファイル内のアクセス位置を時分秒で指定する。
以上示したように、図２０（ｂ）で示したＡＶコンテンツ管理情報内の実体プレイリスト情報の録画時刻にＤＶ撮影時刻情報を設定し、さらにコンテンツ作成方法情報にＤＶ入力情報を設定することで、ＤＶ撮影コンテンツのＤＶ撮影時刻情報を管理することができる。
図２１（ａ）は、コンテンツが一つも記録されていないブランク状態のＤＶＲのＡＶコンテンツ管理情報の内容を示し、図２１（ｂ）は、ＤＶ入力前に既に、地上波放送により記録したコンテンツが１つ含まれている状態のＤＶＲのＡＶコンテンツ管理情報の内容を示す。
また、図２２は、本実施の形態による図１０に対応するＡＶコンテンツ管理情報を示す。
【００２３】
以上の様に構成された録画再生装置の撮影コンテンツ管理方法について説明する。
図１８は、ＤＶカメラにて記録されたＤＶ撮影コンテンツを、ＤＶ入力にてＤＶＲ上に取り込み、取り込みコンテンツを作成する場合の、ＡＶコンテンツ管理情報に設定する撮影コンテンツ管理方法のフローチャートである。
先ず、録画再生装置は、ＤＶカメラとＤＶＲが接続されＤＶ撮影コンテンツをＤＶＲ上に取り込むユーザ操作を検知したら（ステップＳ３１００）、ＤＶカメラ内に記録されているＤＶ映像とＤＶ時刻情報を抽出する（ステップＳ３１０１）。ＤＶＲ上に取り込むユーザ操作を検知しない場合は、ステップＳ３１０１以降の処理は実施しない。
次に、ＤＶカメラから抽出されたＤＶ時刻情報をＤＶＲ上で管理することができるＡＶコンテンツ管理情報形式に変換し（ステップＳ３１０２）、変換した時刻情報をＡＶコンテンツ管理情報に設定し、ＡＶ情報とともに取り込みコンテンツとして記録する（ステップＳ３１０３）。ＡＶコンテンツ管理情報のフォーマット構造は図２０（ａ）（ｂ）に示したとおりである。また、本実施の形態による図１０の状態におけるＤＶＲのＡＶコンテンツ管理情報の内容は図２２に示したとおりである。
以上のようにして、本発明の実施の形態１では、従来例と異なり、ＤＶ入力にて作成されるＤＶＲ上の取り込みコンテンツについては、ＤＶ時刻情報を設定することができる。
その結果、ユーザはＤＶ入力にてＤＶ撮影コンテンツをＤＶＲ上に取り込んだ場合、ＤＶＲ上でもＤＶ撮影を行った時の時刻情報を管理し表示することができる。
【００２４】
（実施の形態２）
実施の形態２はＤＶ入力にて作成された取り込みコンテンツを分割編集処理し、新たな取り込みコンテンツの撮影コンテンツ管理方法に関するものである。
図１３（ａ）に本発明の実施の形態２に係るＤＶＲ上の撮影コンテンツにおける分割編集処理を行う前のコンテンツ一覧を表示する画面を示す。ここでは、番号２は地上波放送から記録したコンテンツ、番号１，３，４のコンテンツは外部から取り込んだ、取り込みコンテンツである。
図１３（ｂ）は図１３（ａ）のコンテンツのうち、取り込みコンテンツ（番号４のＤＶ Ｃａｐｔｕｒｅ３）をＤＶＲ上で分割編集処理し番号４のＤＶ  Ｃａｐｔｕｒｅ３ａ、番号５のＤＶ  Ｃａｐｔｕｒｅ３ｂを作成した場合の一覧表示画面である。
図１２（ａ）（ｂ）に示す本発明の実施の形態１の場合では、取り込みコンテンツ（番号４）の分割編集処理により新たに作成された取り込みコンテンツ（番号５）の録画時刻にも、分割編集処理前の取り込みコンテンツ（番号４）と同様の録画時刻が記録される。一方、図１３（ｂ）に示す本発明の実施の形態２の場合では、分割編集処理後により新たに作成された取り込みコンテンツの録画時刻には、取り込みコンテンツに対応したＤＶ時刻情報が記録される。
図１４（ａ）は実施の形態１による図１２（ｂ）に対応し、図１４（ｂ）は本実施の形態による図１３（ｂ）に対応する録画再生装置内でのＡＶコンテンツ管理情報の録画時刻とＤＶ撮影コンテンツのＤＶ時刻情報との関係を示す図である。
すなわち、図１４（ｂ）に示す本実施の形態では、図１１（ｂ）に示した実施の形態１に加えて、ＤＶ入力により取り込みコンテンツを作成した後にＤＶＲ上でコンテンツ分割編集処理を行い、新たに作成された取り込みコンテンツに対してもＤＶ時刻情報を考慮した撮影コンテンツ管理を行う。
【００２５】
（装置の動作）
以上のように構成された録画再生装置の撮影コンテンツ管理方法について説明する。
本実施の形態に係る録画再生装置の構成を図５に示す。図５は実施の形態１での図３に相当する構成である。本実施の形態では、実施の形態１に加えて新たに、絶対時刻算出手段２０７と管理日付設定手段２０８を追加している。ＤＶＲ上のコンテンツが編集された場合、絶対時刻算出手段２０７にて、編集前の取り込みコンテンツの先頭からの相対時間を時刻情報に加算し編集後の取り込みコンテンツに対応した絶対時刻を算出する。算出した絶対時刻は、管理日付設定手段２０８にて取り込みコンテンツ編集後新たに作成された取り込みコンテンツの録画時刻として管理することができる。
図１９に本発明の実施の形態２におけるＤＶ撮影コンテンツを分割編集処理した場合のＡＶコンテンツ管理情報に設定する撮影コンテンツ管理方法のフローチャートを示す。
先ず、ＤＶ入力にてＤＶＲ上に取り込みコンテンツが作成された後、ユーザによりコンテンツを分割編集する操作を検知したら（ステップＳ３１０４）、ＤＶ入力にて作成されたコンテンツか確認する（ステップＳ３１０５）。コンテンツが分割編集されない場合及び、ＤＶ入力にて作成されたコンテンツではない場合は、ステップＳ３１０６以降の処理は実施しない。ＤＶ入力にて作成された取り込みコンテンツであった場合、分割編集対象となる取り込みコンテンツの編集先頭位置から分割編集点までの絶対時間を時刻情報に加算し、分割編集後の取り込みコンテンツの絶対時刻を算出する（ステップＳ３１０６）。
次に、算出した絶対時刻を分割編集によって新たに作成された取り込みコンテンツのＡＶコンテンツ管理情報に設定する（ステップＳ３１０７）。
【００２６】
なお、取り込みコンテンツの編集処理については、上記のように実体プレイリスト情報を分割する方法以外に、仮想再生範囲である仮想プレイリスト情報を用いたプレイリスト編集を行っても良い。
仮想プレイリスト情報は実体プレイリストと同様の構成を持つが、実体ストリームファイルのストリーム部分を共有しない点が実体ストリーム情報と異なる。仮想プレイリスト情報を利用した場合のＡＶコンテンツ管理情報の状態を図２３に示す。
【００２７】
以上のようにして、本発明の実施の形態２では、実施の形態１に加え、ＤＶ入力にて作成された取り込みコンテンツを分割編集処理し、新たな取り込みコンテンツを作成した場合も、ＤＶ映像に対応したＤＶ時刻情報を設定することができる。
その結果、取り込みコンテンツは、常にＤＶ映像に対応したＤＶ時刻情報を管理する事ができる。
【００２８】
以上、本発明に係る録画再生装置の構成、及び撮影コンテンツ管理方法について、実施の形態に基づいて説明したが、本発明はこれら実施の形態に限られないことは勿論である。
即ち、
（１）上記実施の形態では、取り込みコンテンツの録画時刻はＤＶ時刻情報を用いて管理しているが、これに限定されるものではない。図６に示すように、本発明の実施の形態１に加えて新たに、任意撮影時刻設定手段２０９と撮影時刻モード設定手段２１０を追加し、取り込みコンテンツの録画時刻はユーザの意図する時刻情報で管理してもよい。ここで、任意撮影時刻設定手段２０９では、ＤＶＲ上の取り込みコンテンツの録画時刻にユーザの指定する時刻を設定する。
図１７（ａ）（ｂ）に、ＤＶ入力にて作成される取り込みコンテンツのＡＶコンテンツ管理情報の録画時刻と取り込みコンテンツのＤＶ時刻情報との関係を示す。
ＤＶ時刻情報はＤＶカメラに内蔵された時計を元に管理している。例えば、内蔵された時計が故障により正常に動作せず、ＤＶ撮影映像とは関係のないＤＶ時刻情報を記録していることもある。この場合、図１５に示すように実施の形態１では、実際に撮影を行った日時とは関係のないＤＶ時刻情報が記録されている場合であっても、ＤＶＲ上の取り込みコンテンツの録画時刻には、ＤＶ時刻情報を記録する。
しかしながら、上記手段を追加することにより、ＤＶ時刻情報にユーザの意図しないＤＶ時刻情報が記録されていた場合、図１６に示すようにＡＶコンテンツ管理情報の録画時刻には任意時刻を設定する。任意時刻には、撮影時刻モード設定手段２１０を用いて、取り込みコンテンツのＤＶ時刻情報と取り込みコンテンツを作成した時刻とユーザの指定する時刻等の内、所望の時刻を選択し取り込みコンテンツのＡＶコンテンツ管理情報に設定する。図１７（ｂ）では、取り込みコンテンツの録画時刻に、ＤＶＲに内蔵しているタイマーを使用し取り込みコンテンツ作成時刻を設定した場合を示す。
この結果、取り込みコンテンツの録画時刻は常にユーザの意図する時刻情報で管理することができる。
【００２９】
（２）上記実施の形態では、ＤＶ撮影装置を使用していたが、これに依存するものではなく、ＡＶ情報とその時刻情報を記録可能な装置であってもよい。
（３）上記実施の形態では、取り込みコンテンツの分割編集処理を行ったが、これに限定されるものではなく、結合や削除などコンテンツを編集する処理であってもよい。
（４）上記実施の形態では、ＤＶカメラに記録したＤＶコンテンツの区切りとは関係なくＤＶ入力にて一度にＤＶＲ上に記録している。しかし、ＤＶ入力中にＤＶ時刻情報の日付等に顕著な変化があった場合には、ＤＶＲ上で作成している取り込みコンテンツを分割し、その取り込みコンテンツに対応したＤＶ時刻情報を設定してもよい。
（５）上記実施の形態では、ＤＶカメラに記録しているＤＶ撮影コンテンツ全てをＤＶ入力にて一度にＤＶＲ上に記録しているが、ＤＶカメラに記録しているＤＶ撮影コンテンツの内、ユーザがＤＶ時刻情報を指定し、それに対応したＤＶ撮影コンテンツのみをＤＶＲ上に記録しても良い。ここで、ＤＶ時刻情報を指定しＤＶＲ上に記録した取り込みコンテンツのＡＶコンテンツ管理情報には、ＤＶ撮影コンテンツに対応したＤＶ時刻情報を設定する。
（６）上記実施の形態では、ＤＶ撮影コンテンツのＤＶ時刻情報を用いたが、これに限定されるものではなく、ＤＶ撮影場所、ＤＶ撮影者、ＤＶ非撮影者などＤＶ撮影映像に付帯する情報を使用してもよい。
（７）上記実施の形態では、記録媒体がＤＶＤ−ＲＡＭ及びＨＤＤであったが、これに限定されるものではなく、例えば、Ｂｌｕ−ｒａｙ  Ｄｉｓｃ、ＤＶＤ−Ｒ、ＤＶＤ−ＲＷ、ＣＤ−Ｒ、ＣＤ−ＲＷ、ＳＤカード、ＰＣカード、ＭＯ、ＭＤ、ＰＤ、スマートメディア、コンパクトフラッシュ（登録商標）、マルチメディアカード、メモリスティック等の記録可能なメディアであってもよい。
【産業上の利用可能性】
【００３０】
本発明に係るＡＶコンテンツ管理情報を有する撮影コンテンツ管理方法は、住宅監視システムにおける監視映像管理装置として有用である。
【図面の簡単な説明】
【００３１】
【図１】本発明の実施の形態１及び２における録画再生装置の構成を示す図
【図２】本発明の実施の形態１における撮影コンテンツ管理において、従来例の撮影コンテンツ管理方法を用いた場合の構成を示す図
【図３】本発明の実施の形態１における撮影コンテンツ管理方法の構成を示す図
【図４】本発明の実施の形態２における撮影コンテンツ管理において、実施の形態１の撮影コンテンツ管理方法を用いた場合の構成を示す図
【図５】本発明の実施の形態２における撮影コンテンツ管理方法の構成を示す図
【図６】本発明の他の実施の形態における撮影コンテンツ管理方法の構成を示す図
【図７】本発明の実施の形態１における撮影コンテンツ管理において、従来例の撮影コンテンツ管理方法を用いた場合の課題を示す図
【図８】本発明の実施の形態１における撮影コンテンツ管理において、従来例の撮影コンテンツ管理方法を用いた場合の課題の一例を示す図
【図９】本発明の実施の形態１における撮影コンテンツ管理において、市場商品の撮影コンテンツ管理方法を用いた場合の一例を示す図
【図１０】本発明の実施の形態１における撮影コンテンツ管理方法を行った場合の効果の概要を示す図
【図１１】本発明の実施の形態１におけるＡＶコンテンツ管理情報の録画時刻とＤＶ撮影コンテンツのＤＶ時刻情報との関係を示す図
【図１２】本発明の実施の形態２における撮影コンテンツ管理において、実施の形態１の撮影コンテンツ管理方法を用いた場合の課題を示す図
【図１３】本発明の実施の形態２における撮影コンテンツ管理方法を行った場合の効果の概要を示す図
【図１４】本発明の実施の形態２におけるＡＶコンテンツ管理情報の録画時刻とＤＶ撮影コンテンツのＤＶ時刻情報との関係を示す図
【図１５】本発明の実施の形態１における撮影コンテンツ管理の課題を示す図
【図１６】本発明の実施の形態１における撮影コンテンツ管理の課題を解決した場合の効果の概要を示す図
【図１７】本発明の実施の形態１における撮影コンテンツ管理の課題を解決した場合のＡＶコンテンツ管理情報の録画時刻とＤＶ撮影コンテンツのＤＶ時刻情報との関係を示す図
【図１８】本発明の実施の形態１における撮影コンテンツ管理方法のフローチャート
【図１９】本発明の実施の形態２における撮影コンテンツ管理方法のフローチャート
【図２０】本発明の実施の形態２におけるＡＶコンテンツ管理情報の構造を示す図
【図２１】本発明の実施の形態２におけるＡＶコンテンツ管理情報のＤＶ入力前の状態を示す図
【図２２】本発明の実施の形態２におけるＡＶコンテンツ管理情報のＤＶ入力後の状態を示す図
【図２３】本発明の実施の形態２におけるＡＶコンテンツ管理情報の仮想プレイリスト情報を用いた分割編集完了時の状態を示す図
【符号の説明】
【００３２】
１００  外部機器
１０１  リモコン
１０２  アンテナ
１０３  モニター
１１０  外部入出力
１１１  ユーザ入力部
１１２  チューナー
１１３  エンコーダ
１１４  オーバーレイ部
１１５  出力制御部
１１６  デコーダ
１１７  ＯＳＤ表示部
１２０  バス
１３０  内蔵タイマー
１３１  ＣＰＵ
１３２  ＲＯＭ
１３３  ＲＡＭ
１３４  記録媒体
１４０  ＬＳＩ
２００  ＡＶ情報抽出手段
２０１  ＡＶ情報変換手段
２０２  タイマー変換手段
２０３  時刻情報抽出手段
２０４  時刻情報変換手段
２０５  取り込みコンテンツ記録手段
２０６  コンテンツ編集検出手段
２０７  絶対時刻算出手段
２０８  管理日付設定手段
２０９  任意撮影時刻設定手段
２１０  撮影時刻モード設定手段
【図１】
2006179049.tif 000003
【図２】
2006179049.tif 000004
【図３】
2006179049.tif 000005
【図４】
2006179049.tif 000006
【図５】
2006179049.tif 000007
【図６】
2006179049.tif 000008
【図７】
2006179049.tif 000009
【図８】
2006179049.tif 000010
【図９】
2006179049.tif 000011
【図１０】
2006179049.tif 000012
【図１１】
2006179049.tif 000013
【図１２】
2006179049.tif 000014
【図１３】
2006179049.tif 000015
【図１４】
2006179049.tif 000016
【図１５】
2006179049.tif 000017
【図１６】
2006179049.tif 000018
【図１７】
2006179049.tif 000019
【図１８】
2006179049.tif 000020
【図１９】
2006179049.tif 000021
【図２０】
2006179049.tif 000022
【図２１】
2006179049.tif 000023
【図２２】
2006179049.tif 000024
【図２３】
2006179049.tif 000025